Podtech/llm-jp-corpus-v4-ja_patent huggingface dataset:
(57)【要約】【課題】  本考案は人の顔の形に加工した厚手のタオルをレンジ使用可能な素材でタオル同様顔の形に成型した蓋と着脱可能とし、それらを収納する蓋同様の素材で成型した器と組み合わせることで家庭にてレンジで簡単に蒸しタオルを施す。【解決手段】  本考案は人の顔の形に加工し鼻孔部分に穴を開けた蒸しタオルに適した２種類の生地のタオル３及び４と、レンジ使用可能な素材でタオル同様鼻孔部分に開口部をもつ顔の形に成型した蓋１をホック１ｃ及び５により着脱可能とし、蓋同様の素材で成型した器２と組み合わせ、家庭でレンジを使用し簡単に顔に蒸しタオルを施せるようにする。【選択図】図３
0003133382.tif 000002
【実用新案登録請求の範囲】
【請求項１】
人の顔の形で鼻孔部分に開口部をもつ厚手に加工したタオル生地を、同じく鼻孔部分に開口部をもつ人の顔の形に成型したレンジ使用可能な素材で出来た蓋に止め具で着脱可能にし、それを収める同じ素材で出来た器と組み合わせたところを特徴とする家庭用顔用蒸しタオル器
【考案の詳細な説明】
【技術分野】
【０００１】  本考案は、人の顔の形に加工したタオル生地と、それを取付ける蓋と受け皿とからなる、レンジを使用する蒸しタオルに関するものである。
【背景技術】
【０００２】  家庭で顔面に蒸しタオルをする場合、タオルを煮沸したり、濡らしたタオルをラップに包みレンジで温め、それを顔の上にのせていた。
【考案の開示】
【考案が解決しようとする課題】
【０００３】  通常のタオルを煮沸するには手間がかかり、また、レンジを使用する場合は衛生面からラップを毎回消費しなくてはならない。さらに、通常のタオルを使用する場合、顔にのせるときに熱い蒸気を吸い込まないように注意して鼻孔の部分を開けて顔に巻かなければならない。また、通常のタオルは厚みが無いため蒸らし時間が非常に短い。従って、鼻孔部分を開けた顔の形に厚手に加工したタオル生地を、同じく顔の形に成型したレンジ使用可能な素材で出来た蓋に着脱できるようにし、それを蓋と同様の素材で出来た器と組合わせることによりラップを使用することなく、レンジでの温めと使用が手軽になり前述の欠点を解決しようとするものである。
【課題を解決するための手段】
【０００４】  本考案は、人の顔の形で鼻孔部分に呼吸がしやすいように穴を開け厚手に加工したタオル生地と、同じく鼻孔部分に開口部をもつ人の顔の形に成型したレンジ使用可能な素材で出来た蓋とを同様の素材で出来た止め具で着脱可能とし、同様の素材で出来た器と組み合わせることにより、使用する場合は蓋からタオル生地を取り外し通常の蒸しタオルと同様に水分を含ませ、再び蓋に止め具で固定し、器に載せそのままレンジで温めた後、器から外しタオル生地を蓋に取付けたままの状態で直ぐに顔に載せられるようにしたことにより問題点を解決している。
【考案の効果】
【０００５】  上述の様に、本考案の家庭用顔用蒸しタオル器は厚手のタオル生地を鼻孔部分に開口部を設けた人の顔の形に加工してあるので、そのまま手軽に顔に載せることができ、しかもレンジ使用可能な素材の蓋に取付けたことにより熱が逃げ難くなり厚手のタオル生地との相乗効果で蒸らし時間の伸長に役立ち、またラップの消費も無く経済的である。
【考案を実施するための最良の形態】
【０００６】  タオル生地は顔に面する側を蒸気の効果を活かすため長めのパイル生地とし、蓋に面する側を熱保持のため緻密な生地を使用し、二つを縫製し鼻孔部分に穴を開け顔の形に加工したものにレンジ使用可能な素材のホックの雌にあたる止め具を鼻孔部分に一個、それを中心に３個合計４個縫い付け、レンジ使用可能な素材でタオル生地同様顔の形で鼻孔部分に開口部をもち、タオル生地の止め具位置と同様の位置にホックの雄にあたる止め具を一体成型した蓋と着脱可能にする。又、それらを収納しレンジ使用するための器を蓋同様の素材で成型する。
【実施例】
【０００７】  以下、添付図面に従って一実施例を説明する。１はポリプロピレン等レンジ使用可能な素材にて顔の形に成型された蓋で、取っ手部分１ａと鼻孔部分に開口部１ｂを設け、内側にはホックの雄側１ｃが一体成型される。２は蓋同様の素材で成型された器で、蓋で密閉される。蓋の内側には蓋同様の素材で成型されたホックの雌側５を縫い付けた蓋同様顔の形の緻密な生地のタオル３と長めのパイル生地のタオル４が鼻孔部分に穴４ａを開けて縫い合わされ、ホック１ｃと５により蓋と着脱可能となる。【０００８】  本考案の一実施例は上述の如き構成からなるものであるから、家庭で顔に蒸しタオルを施すときは、緻密な生地のタオル３と長めのパイル生地のタオル４と雌側ホック５とで構成されたタオル部を蓋１から取り外し、水で洗い絞り再び蓋の雄側ホック１ｃに取り付け、器２で密閉しレンジで温めた後蓋を取りそのまま顔に載せることが出来る。
【図面の簡単な説明】
【０００９】
【図１】本考案の家庭用顔用蒸しタオル器の一実施例を示す斜視図である。
【図２】本蒸しタオル器の分解側面図である。
【図３】本蒸しタオル器の断面図である。
【符号の説明】
【００１０】１  蓋
２  器
３  緻密な生地のタオル
４  長めのパイル生地のタオル
５  雌側ホック
【図１】
0003133382.tif 000003
【図２】
0003133382.tif 000004
【図３】
0003133382.tif 000005
(57)【要約】      （修正有）【課題】複数個の鍵接続部品を取り外したら増やすことができ、外皮の汚れ、破損等での交換や着せ替えができる。【解決手段】分離できる部品としてフレームＡにコイルスプリング状部Ｂを取り付け、コイルスプリング状部Ｂに鍵接続部Ｃのリング部Ｄを介してコイルの巻数以内の範囲の任意の数と位置に鍵接続部Ｃを取り付けフレーム部として、外皮となるキャラクタ部Ｆの胴部ＥをフレームＡの中に差し込みフレーム部上部Ｈをキャラクタ部Ｆの穴部Ｉから出し固着部Ｇを使いフレーム部を保持しキーホルダとして使用、キャラクタ部Ｆからフレーム部を取り外せることで交換や着せ替えができるようにし問題の解決をする。【選択図】図２
0003133387.tif 000002
【実用新案登録請求の範囲】
【請求項１】
分離できる部品であるフレームとそのフレームに取り付くコイルスプリング状部とそのコイルスプリング状部に取り付く鍵接続部とそれに取り付けられたリング部と外皮となるキーホルダ部で形成するキーホルダで、コイルスプリング状部のコイルの巻数以内の範囲で任意の鍵の数と位置を自由に設定する為にフレームにコイルスプリング状部、コイルスプリング状部に鍵接続部のリング部を組み付けてフレーム部として、キャラクタ部にフレーム部をキャラクタ部と胴部の固着部で保持させて完成させ、フレーム部をキャラクタ部から外せることで交換や着せ替えを可能にしたキーホルダ。
【考案の詳細な説明】
【技術分野】
【０００１】    本考案は、キーホルダに関するものである。
【背景技術】
【０００２】    従来の技術において複数の鍵をまとめられるとされるキーホルダは、鍵接続部品の数は固定化され取り付けられていて増減ができず、その外皮も鍵接続部品と固定化され取り付けられていて、交換できないものが知られている。
【考案の開示】
【考案が解決しようとする課題】
【０００３】    従来のものは、複数個の鍵接続部品が固定され取り外すことや増やすことができない問題と外皮と鍵接続部品も固着されている為外皮の汚れ、破損等での交換や着せ替えができない問題があった。
【課題を解決するための手段】
【０００４】    分離できる部品であるフレームとそれに取り付けられるコイルスプリング状部とそれに取り付けられる鍵接続部に接続したリング部と外皮となるキャラクタ部を設け、コイルスプリング状部のコイルの巻数以内の範囲で希望する鍵の数だけの増減と任意の位置に鍵接続部を取り付け、それをフレームに取り付けてフレーム部としてキャラクタ部の胴部をフレームの中に差込、キャラクタ部と胴部を固着部で固定させてフレーム部と外皮を保持しキーホルダを完成させることで問題を解決している。
【考案の効果】
【０００５】    鍵の取り付けられる数と場所をコイルスプリング状部のコイルの巻数以内の範囲で自由に決められ上に外皮とフレーム部との交換も容易で着せ替えが可能になった。
【考案を実施するための最良の形態】
【０００６】    以後図面で説明する。（Ａ）フレームに（Ｂ）コイルスプリング状部を取り付けそのコイルスプリング状部に任意の数と位置に（Ｃ）鍵状部にある（Ｄ）リング部を通し（図１）フレーム部を作り、そのフレーム部のフレームの中に（Ｆ）キャラクタ部の（Ｅ）胴部を差し込みフレームの（Ｈ）上部をキャラクタ部の（Ｉ）穴から出し（Ｇ）固着部で胴部とキャラクタ部を固定させフレーム部を保持し、鍵を鍵接続部に取り付けて完成する。
【図面の簡単な説明】
【０００７】
【図１】    フレーム部の平面図。
【図２】    完成時の見取り図。
【符号の説明】
【０００８】    Ａ  フレーム
Ｂ  コイルスプリング状部
Ｃ  鍵接続部
Ｄ  リング部
Ｅ  胴部
Ｆ  キャラクタ部
Ｇ  固着部
Ｈ  上部
Ｉ  穴部
【図１】
0003133387.tif 000003
【図２】
0003133387.tif 000004
(57)【要約】      （修正有）【課題】インクジェットプリンタで印刷された画像のインクの粒子を透明プラスチック板の中に封入し、長期間劣悪な環境の中で画像の展示を可能にした写真パネルを提供する。【解決手段】透明プラスチック板１と重合接着で裏打ちされたプラスチック板４とが完全に一体化しているため、封入されたインクおよび印刷された用紙は、有害物質および紫外線から完全に隔離できる。【選択図】図２
0003133389.tif 000002
【実用新案登録請求の範囲】
【請求項１】
インクジェットプリンタで印刷された画像のインクの粒子を透明プラスチック板の中に封入し、色素を破壊する有害物質および紫外線からインクの粒子を隔離するプラスチック写真パネル。
【考案の詳細な説明】
【技術分野】
【０００１】  本考案は、インクジェットプリンタで印刷された画像のインクの粒子を透明プラスチック板の中に封入し、長期間劣悪な環境の中で画像の展示を可能にした写真パネルである。
【背景技術】
【０００２】  従来の写真パネルは画像をパネル板に水張りをするか、印刷した画像を粘着パネル板に貼り付けるか、印刷した画像をラミネート加工しプレートに貼りパネルにする方法か、または直接パネル板に画像を印刷する方法しかなかった。
【考案が解決しようとする課題】
【０００３】  しかし、水張りする方法、または粘着パネル板に貼り付ける方法は展示する場所に制限があり高温多湿の場所では長期間展示することができなかった。また、ラミネート加工をしたものも、長期間展示する間にラミネートフイルムに亀裂が入り、そこから水滴などの有害物質が浸入し、色素を破壊し色褪せの原因となった。さらに直接パネル板に印刷する方法は高価で一般的でない。
【課題を解決するための手段】
【０００４】  そこで、インクジェットプリンタで印刷した画像のインクの粒子を、特許公開２００２−１４９１０１の技術を利用し、透明プラスチックの中に封入しすることによって課題を解決した。
【特許文献】特開２００２−１４９１０１号公報
【考案を実施するための最良の形態】
【０００５】  図２に示すように、透明プラスチック板１と重合接着で裏打ちされたプラスチック板４とが完全に一体化しているため、封入されたインクおよび印刷された用紙は、有害物質および紫外線から完全に隔離できる。
【実施例】
【０００６】特許公開２００２−１４９１０１の技術を利用しプラスチック写真パネルを作り、浴室に画像を展示することが出来るようになった。また、屋外にインクジェットプリンタで印刷した画像を長期間展示することができるため、観光地などに写真入り説明板を掲示することができるようになった。
【産業上の利用可能性】
【０００７】  本考案は、長期間映像を展示する業界に最適である。例えば、広告業界、写真業界、および看板業界など。また、紫外線による褪色が心配される文化財を複写し、それをプラスチック写真パネルにし一般公開できる。
【図面の簡単な説明】
【図１】    本考案に係る左上部よりの鳥瞰図である。
【図２】    本考案に係る側面図である。
【符号の説明】
１・・・・・透明プラスチック板
２・・・・・透明プラスチック板の中に封入されたインクジェットプリンタのインクの粒子
３・・・・・透明プラスチック板の中に封入された印刷用紙
４・・・・・重合接着で裏打ちされたプラスチック板
【図１】
0003133389.tif 000003
【図２】
0003133389.tif 000004
(57)【要約】      （修正有）【課題】腕の曲げ伸ばし、肩の上げ下げなどの動きの際にごわつき感が感じられない、着心地の良いキルティング生地の提供。【解決手段】表地や裏地と一体となって身体の動きに添うように変形し着心地を良くするために、中わたにカシミヤやウールの布帛を用いた。【選択図】図１
0003133338.tif 000002
【実用新案登録請求の範囲】
【請求項１】
本考案は、衣料やリビング関連商品等への使用を目的とした、中わた素材に不織布ではなく布帛を使用したキルティング生地。
【考案の詳細な説明】
【技術分野】
【０００１】本考案は、ごわつき感をなくし、着用感をより高めたキルティング生地に関する。
【背景技術】
【０００２】従来は、キルティングの中わたというと、ポリエステル等の不織布を使用していた。
【考案の開示】
【考案が解決しようとする課題】
【０００３】従来の中わたに不織布を使用したキルティング生地は衣料品にした際、腕の曲げ伸ばし、肩の上げ下げなどの動きで、ごわつき感を感じるものが多かった。
【課題を解決するための手段】
【０００４】中わたに、カシミヤやウールの布帛を起毛などでわた状にしたものを使用した。
【考案の効果】
【０００５】中わたが布帛になると、表地や裏地と一体となって身体の動きに添うように変形するため、着心地の良さの向上につながる。
【考案を実施するための最良の形態】
【実施例】
【０００６】図１は本考案の断面図である。薄手の表地・裏地の間に布帛中わたを挟み、ミシンによるステッチで固定する。
【図面の簡単な説明】
【０００７】
【図１】  本考案の断面図
【図１】
0003133338.tif 000003
【手続補正書】
【提出日】平成19年3月16日(2007.3.16)
【手続補正１】
【補正対象書類名】実用新案登録請求の範囲
【補正対象項目名】全文
【補正方法】変更
【補正の内容】
【実用新案登録請求の範囲】
【請求項１】
表地と裏地の間に布帛で作った中わたを有するキルティング生地
(57)【要約】      （修正有）【課題】非常時のトイレの場所を作る事ができる汚水ます用便器を提供する。【解決手段】各家庭にある汚水ますの蓋にサイズをあわせて前方が長方形、後方が円形の穴を開けたものを用意し、非常時にはこれを便器用の蓋とする事でトイレとして使用することが出来る【選択図】図１
0003133335.tif 000002
【実用新案登録請求の範囲】
【請求項１】
各家庭に有る汚水ますの蓋を便器用の蓋にしたところを特徴とする汚水ます用便器とする
【考案の詳細な説明】
【技術分野】
【０００１】汚水ますの蓋を便器として使用出来る蓋にする
【背景技術】
【０００２】各家庭に有る汚水ますをトイレとして使用する
【考案の開示】
【考案が解決しようとする課題】
【０００３】非常時に仮設トイレの数が少なくトイレを使用出来ない事を防ぐ
【課題が解決する為の手段】
【０００４】各家庭に有る汚水ますをトイレとして使用することが出来る
【考案の効果】
【０００５】トイレを使用するのに自分のリズムで出来る為体調を崩さない
【考案の実施するための最良の形能】
【０００６】汚水ますの蓋に前方が長方形、後方が円のくぼみの穴をあける
【実施例】
【０００７】汚水ますの蓋と内形が同じ便器用の蓋に容易に交換する事が出来る
【図面の簡単な説明】
【０００８】
【図１】便器用蓋の全体図
【符号の説明】
【０００９】１．汚水ます用便器蓋
２．落下防止保助ワク
３．用便用穴
【図１】
0003133335.tif 000003
【手続補正書】
【提出日】平成19年3月19日(2007.3.19)
【手続補正１】
【補正対象書類名】実用新案登録請求の範囲
【補正対象項目名】全文
【補正方法】変更
【補正の内容】
【実用新案登録請求の範囲】
【請求項１】
汚水ますをトイレとして使用する事を目的とする為に汚水ますの蓋を便器の型にした所を特徴とする汚水ます用便器蓋
(57)【要約】      （修正有）【課題】押出し機構を付けたチューブ押出し補助具の提供。【解決手段】プッシャーローラー軸２の軸受と押える力を運動用オーリングで兼ね、押し出す動きは指の力を使うチューブ押出し補助具。【選択図】図２
0003133333.tif 000002
【実用新案登録請求の範囲】
【請求項１】
運動用オーリングを用いたチューブ押出し補助具。
【考案の詳細な説明】
【技術分野】
【０００１】  本考案は運動用オーリング３を用いたチューブ押出し補助具。
【背景技術】
【０００２】  チューブ押出し補助具には強力な金属チューブ用から、歯磨きチューブ押出し補助具まで多数実用新案に登録されていますが、実用化されている物は少ない。【０００３】  歯磨きチューブ用の物も多数あり、その内数点は本考案とまるで同じ狙いを持ちプッシャーローラー１を使用している物もあるが、側板とか針金を用いている為取付けにくく煩雑さを否めません。
【考案の開示】
【考案が解決しようとする課題】
【０００４】  本考案は、今回同時に出願した整理番号０５の片手で使用出来る歯磨きチューブスタンドに主要な部品です。簡単でシンプルなチューブ押出し補助具が出来ればと考えました。
【課題を解決する為の手段】
【０００５】  プッシャーローラー軸２の軸受  と押さえる力を運動用オーリングで兼ね、押える力の補助とプッシャーローラーを回し  押し出す働きは指の力でする、簡単なチューブ押出し補助具を考えた。
【考案の効果】
【０００６】  歯磨チューブに取付ける時、運動用オーリングが伸びる為取付が簡単でスムーズ。
【０００７】  ストッパーとしても働き逆流しない為、  無駄なく押し出すことが出来る。
【０００８】  運動用オーリングの力に指の力を加える事が出来る為、力のいるチューブや小型の金属チューブにも使える。
【考案を実施する為の最良の形態】
【実施例】
【０００９】  歯磨チューブ６の張りが無くなった時、チューブ押出し補助具をチューブの後尾に取付け、スリット部５を親指と人差し指で回しながら下げ、チューブが張った後少し強く回せば歯磨きが出ます。【００１０】  チューブが張った後チューブを指で押し、歯磨を押し出す事も安定した使い方です。【００１１】  出過ぎる時はプッシャーローラーを少し逆に回します。
【図面の簡単な説明】
【００１２】
【図１】本考案の正面部分断面図
【図２】同側面図
【符号の説明】
【００１３】１、  プッシャーローラー  ハマキ型
２、  プッシャーローラー軸
３、  運動用オーリング
４、  細かいスリット
５、  チューブ
【図１】
0003133333.tif 000003
【図２】
0003133333.tif 000004
【手続補正書】
【提出日】平成18年12月11日(2006.12.11)
【手続補正１】
【補正対象書類名】実用新案登録請求の範囲
【補正対象項目名】全文
【補正方法】変更
【補正の内容】
【実用新案登録請求の範囲】
【請求項１】
ラミネートチューブのクリーム状容液に圧を掛け連続して押し出す為、一対のオーリングを用い押出しローラーの軸受と、圧スプリングの効果を働きとする特徴を有する、チューブ押出し補助具。
【請求項２】
押出しローラーの軸受と圧スプリングの効果を働きとする特徴を有するゴムパッキン状の樹脂を用いた請求項１記載のチューブ押出し補助具。
【手続補正書】
【提出日】平成19年3月28日(2007.3.28)
【手続補正１】
【補正対象書類名】実用新案登録請求の範囲
【補正対象項目名】全文
【補正方法】変更
【補正の内容】
【実用新案登録請求の範囲】
【請求項１】
平行した一対の葉巻型押出しローラー軸の左右にオーリングを用い合わせ締め、スプリング効果と指の力を合わせチューブ内面に付着するクリーム状溶液の残流を防ぎ同時に押し出す事の出来る特徴を有するチューブ押出し補助具。
【請求項２】
一対の葉巻型押出しローラー軸を合わせ締め、チューブ内面に付着するクリーム状溶液の残流を防ぎ同時に押出す事を特徴とし、ゴムパッキン状の樹脂を用いた請求項１記載のチューブ押出し補助具。
(57)【要約】      （修正有）【課題】日中、薄くて軽い、しかも暖かく、外出の際、アウターにひびきにくく、防寒肌着として着用し、暖房費の節約と就寝時に、上の首ネック部分を付けて、掛け布団と肩の間の隙間の冷たい空気の進入を防ぐことにより、風邪や肩こり等、又は、頚椎病を予防する。【解決手段】絹綿と絹の表、裏生地を素材として使用。又、構造はベスト部分と首ネック部分を別々に付け離しする。【選択図】図１
0003133337.tif 000002
【実用新案登録請求の範囲】
【請求項１】
ベストに首部分を付け加えて、又ベストと首ネック部分を取外す自在とし、１着２役の特徴をもつ。
【請求項２】
素材構成面：ベスト部分と首ネック部分は真綿を使用し、表生地と裏生地とも絹素材を使って、下着の上に着用したり、肌着としても着用可能。
【考案の詳細な説明】
【技術分野】
【０００１】  本考案は首ネック部分とベスト部分を自由且つ簡単に付け外す，日中は肌着ベストとして着用、夜、寝るときにベストに首ネックを付けて着用、暖かい、崩れしにくい。
【背景技術】
【０００２】  ウオームビーズを提唱してから今までに至って、ワイシャツの上に着る物の提案が多く、重ね過ぎると嫌われる面もある。又、重たくなる、動くに邪魔等、ウオームビーズの定着がしずらい。【０００３】  寝る時に、首と肩から風が入って来るのを気になる、スカーフとタオルを首に巻いてしてたが、とれたり、又、肩は未だ冷たい。風邪、肩こり、頚椎病の原因とも言われ。
【考案の開示】
【考案が解決しようとする課題】
【０００４】  薄く、軽く、暖かく、邪魔に成らない、着用していて、表にひびかないような服を作る。環境保護、ウオームビーズを定着に貢献したい。【０００５】  夜、寝てる時に、首と肩を暖かい、軽い、軟らかい、動いても崩れない、身体を包んでくれる服。【０００６】  以上の２つ課題を１つにまとめて、解決する方法、利用者に経済負担をかけないこと。
【課題を解決するための手段】
【０００７】  先ず素材の選考、我が社は絹婦人服メーカの為、真綿の良さは知ってるので、それを利用して、課題１を解決。【０００８】  ベストと首ネック部分を付け加えると寝るときも着用できます。【０００９】  ベストだけ欲しい、首ネックが付いてるのベストが欲しい、其々の願望を満足させるのはベストと首ネックの付け外す出来る構造を提供する。
【考案の効果】
【００１０】  上述の様に、本考案は一着二役を実現した、昼は防寒肌着ベスト、夜は首と肩を寒さから守れるの寝巻に変身。見た目は薄くても、実は暖かい、ワイシャツ・ブラウスの下に着るので、着ていてもわからないぐらい、体勢良く見える。軽いですから動くにも邪魔にならない、理想のウオームビーズです。又は、寝てる時、首と肩を真冬の冷気の進入を守る、風邪や肩こり、頚椎病の予防にも役にたちます。
【考案の実施するための最良の形態】
【００１１】  ベストと首ネックの付け外す構造を考案して、首ネックのみでわなく、肩、背、胸迄繋いで、首ネックの胸部分とベスト前身頃胸部分、首ネック背中部分とベスト背中部分を合体かさせて、前、後のサイドに、４個スナップのみで固定し、誰でも簡単に取り外せる。又、ベストの肩部分を首ネックの肩部分の上に重ね、寝るときの型崩れを防ぐ。首ネックの肩方に左右伸ばし、肩の先端迄暖かい。
【実施例】
【００１２】  以下、添付図面に従ってこの考案の一実施例を説明する。１は本考案の全体のパタン図。２は前身頃首ネック部分とベスト部分を重ねて固定させるスナップ。３はベスト背中部分と首ネック背中部分を固定するスナップ受ける方。４首ネックの前と背中の固定用スナップ。【００１３】  本考案を使用する素材の断面、５は表生地絹１００％を使用。６は中綿絹１００％を使用。７は裏生地絹１００％を使用。
【図面の簡単な説明】
【００１４】
【図１】本考案首ネック取り外す自由真綿肌着ベストの全体正面図
【図２】本考案ベスト部分背面図
【図３】首ネック部分正面図
【図４】首ネック部分背面図
【図５】本考案素材の断面構造図
【符号の説明】
【００１５】１、ベストと首ネックを付け加えた状態
２、ベストと首ネックを固定するスナップ位置
３、ベスト背中スナップの位置
４、首ネック前と背中のスナップ位置
５、表生地使用する素材品質
６、中綿使用する素材品質
７、裏生地使用する素材品質
【図１】
0003133337.tif 000003
【図２】
0003133337.tif 000004
【図３】
0003133337.tif 000005
【図４】
0003133337.tif 000006
【図５】
0003133337.tif 000007
【手続補正書】
【提出日】平成19年3月2日(2007.3.2)
【手続補正１】
【補正対象書類名】実用新案登録請求の範囲
【補正対象項目名】全文
【補正方法】変更
【補正の内容】
【実用新案登録請求の範囲】
【請求項１】
ベストに首ネック部分を付け加えて（胸から肩までは首ネックとベストを重ねて）、胸部分左右２個スナップ、背中部分左右２個スナップを付けて、ベストと首ネック部分の取外し自在ことを特徴とする首ネック取外し可能真綿肌着ベスト。
【請求項２】
ベスト部分と首ネック部分は真綿を使用し、表生地と裏生地とも絹素材を使って、下着の上に着用したり、肌着としても着用可能を特徴とする首ネック取外し可能真綿肌着ベスト。
(57)【要約】      （修正有）【課題】本考案は、飲酒運転を防止するために駐車場内及びその出入り口に設置し、運転者が近づいたときに音声で飲酒運転の危険性を報じる仕掛けである。【解決手段】人感センサー１、スピーカー２、制御盤、音声レコーダ４、タイマー５、明るさセンサー６、照明灯７、ポール８を備えて、飲酒運転の危険性を呼びかける飲酒運転防止用のシステムである。【選択図】図２
0003133334.tif 000002
【実用新案登録請求の範囲】
【請求項１】
人感スイッチ・音声レコーダ・拡声器を備えた飲酒運転防止用システム。
【考案の詳細な説明】
【技術分野】
【０００１】  本考案は、駐車場の出入り口に設置し、乗車しようとして人感センサーが取り付けられたポールまたは壁面に近づいた運転者に飲酒運転の危険性を呼びかけるシステムである。
【背景技術】
【０００２】  飲酒運転による事故が多発している情勢を少しでも打破するために法立の強化や社会運動等いろいろとソフト面では改善されている。
しかし、何れも間接的な手段であって根本的な解決にはなっていないのが実状である。
現在ハード的には、自動車内での人の呼吸中のアルコール分の検出でエンジン始動ができないような装置を研究中であるが、まだ確立はされていない。
【考案の開示】
【考案が解決しようとする課題】
【０００３】  そのために次のような問題点を解決する必要があった。
しかし、ハード面においては未だ確立したものはなく、本考案はハードとソフトを組み合わせたシステムである。
即ち、人感センサーでハード的に駐車場入口で人をとらまえ、ソフト的に音声でもって飲酒運転の危険性を訴えるものである。
本考案は、以上の問題点を解決するために行うものである。
【課題を解決するための手段】
【０００４】  駐車場内に入ろうとする人々を感知して、「飲酒運転は危険です。飲酒運転は犯罪です。事故を起こせばあなたも家族も大変なことになります」と言うようなアナウンスを行います。
【考案の効果】
【０００５】このような呼びかけは駐車場に入る飲酒運転者に対しては良心を促すものであり、運転を思いとどまることにつながるものである。
また、飲酒者だけに焦点を絞ることは不可能であるが、飲酒運転の危険性を呼びかけることは社会的な啓蒙運動にもつながるものである。
【考案を実施するための最良の形態】
【０００６】  以下、本考案の実施形態を説明する。
▲１▼ポール又は壁に取り付けた人感センサーが人を感知すると同時にスピーカーから音声を発する。
▲２▼音声を発する時間はタイマーによって自由に調節可能である。
▲３▼音声を発する時間帯は夜間のみとする。
▲４▼昼間は単に安全運転やスピードの出しすぎに注意するように呼びかける。
▲５▼ポールには、照明灯を取り付けて常夜灯としても効果をもたらす。
▲２▼常夜灯としても使用できる。
【実施例】
【０００７】本案の飲酒運転防止用システムは、駐車場の出入り口に設置し、また、人感センサーで人を感知したときだけでなく、常夜灯としても使用できるし、防犯にも貢献できる。
【図面の簡単な説明】
【０００８】
【図１】  本考案の飲酒運転防止用システムの構造図
【図２】  本考案のシステムの配線・回路図
【符号の説明】
【０００９】１  人感センサー
２  スピーカー
３  制御箱
４  音声レコーダ
５  タイマー
６  明るさセンサー
７  照明灯
８  ポール
【図１】
0003133334.tif 000003
【図２】
0003133334.tif 000004
【手続補正書】
【提出日】平成18年12月27日(2006.12.27)
【手続補正１】
【補正対象書類名】実用新案登録請求の範囲
【補正対象項目名】全文
【補正方法】変更
【補正の内容】
【実用新案登録請求の範囲】
【請求項１】
「人感センサー（１）」に人が近づくと、図２のリレー（Ｒ１）が動作する。それによりリレー（Ｒ２）で「タイマー（５）−１」が作動し、「明るさセンサー（６）」により、昼間は、安全運転呼びかけの「音声レコーダ（４）−１」のスイッチが入り、「アンプ（９）」を経由して「スピーカー（２）」から安全運転を、「タイマー（５）−１」により一定時間呼びかける。再び「人感センサー（１）」に人が近づいても「タイマー（５）−２」により、一定時間間隔を開けて安全運転または飲酒運転防止の呼びかけを行うものである。
また、夜間には、「明るさセンサー（６）」により、「照明灯（７）」のスイッチと、「音声レコーダ（４）−２」のスイッチが入り、「アンプ（９）」及び「スピーカー（２）」により、乗車前の運転者に飲酒運転の自制を呼びかける飲酒運転抑止用システムである。
【手続補正２】
【補正対象書類名】図面
【補正対象項目名】図２
【補正方法】変更
【補正の内容】
【図２】
0003133334.tif 000005
【手続補正３】
【補正対象書類名】図面
【補正対象項目名】図３
【補正方法】追加
【補正の内容】
【図３】
0003133334.tif 000006
【手続補正４】
【補正対象書類名】明細書
【補正対象項目名】０００８
【補正方法】変更
【補正の内容】
【０００８】
【図１】  本考案の飲酒運転防止用システムの構造図
【図２】  本考案のシステムの配線・回路図
【図３】  本考案の「人感スイッチ」、「音声レコーダ」及び「スピーカー」のフローチャートである。
【手続補正５】
【補正対象書類名】明細書
【補正対象項目名】０００９
【補正方法】変更
【補正の内容】
【０００９】１  人感センサー
２  スピーカー
３  制御箱
４  音声レコーダ
５  タイマー
６  明るさセンサー
７  照明灯
８  ポール
９  アンプ
【手続補正書】
【提出日】平成19年3月27日(2007.3.27)
【手続補正１】
【補正対象書類名】実用新案登録請求の範囲
【補正対象項目名】全文
【補正方法】変更
【補正の内容】
【実用新案登録請求の範囲】
【請求項１】
飲酒運転防止のため機器の組み合わせと働きによって、
▲１▼人感スイッチに人が近づくとリレー（Ｒ１）がはいり、
▲２▼それによりリレー（Ｒ２）が働き、Ｔ−１タイマーとＴ−２タイマーが続いて作動、
▲３▼それにより７明るさセンサーにより、昼間は安全運転の呼びかけ用４音声レコーダが作動、
▲４▼夜間は、７明るさセンサーにより、飲酒運転防止呼びかけ用５音声レコーダが作動、
▲５▼５音声レコーダの作動により、９アンプと２スピーカーのスイッチ（Ｍ１）が、一定時間入り、飲酒の自制を呼びかける
以上の機器の組み合わせからなる飲酒運転防止用システム。
(57)【要約】【課題】  男性が立って便器に排尿の時、尿が便器周囲に散乱することが多い。【解決手段】排尿の時にガイドパイプの中に排尿し尿の出口の方向を一定にする。【選択図】図３
0003133352.tif 000002
【実用新案登録請求の範囲】
【考案の詳細な説明】
【考案が解決しようとする課題】
【０００１】男性が立った姿勢で便器に向かって排尿する場合、尿が便器の周囲に散乱することが多く不潔である。
【課題を解決するための手段】
【０００２】排尿の際にガイドパイプの中に排尿し尿の出る方向を一定にする
【考案の効果】
【０００３】排尿時誤って便器の周囲へ尿の散乱するのを防ぐ。
【考案を実施するための形態】
【０００４】図３に示すようにＰ、なるガイドパイプ内を尿が通過して確実に便器内へ入るようにする。
【図面の簡単な説明】
【０００５】
【図１】ガイドパイプ側面図である。
【図２】ガイドパイプ図１を矢印の方向より見た正面図である。
【図３】ガイドパイプの使用例である。
【符号の説明】
【０００６】  矢印・・・正面図の方向
Ｐ  ・・・ガイドパイプ
１  ・・・排尿入口
２  ・・・排尿出口
３  ・・・ガイドパイプの底面
【図１】
0003133352.tif 000003
【図２】
0003133352.tif 000004
【図３】
0003133352.tif 000005
【手続補正書】
【提出日】平成19年4月4日(2007.4.4)
【手続補正１】
【補正対象書類名】実用新案登録請求の範囲
【補正対象項目名】全文
【補正方法】変更
【補正の内容】
【実用新案登録請求の範囲】
【請求項１】
尿入口は広く太くして出口を細くした筒形の特徴を持ち筒形出口の上部を切り欠き尿の流れが見える特徴のある排尿ガイドパイプ
(57)【要約】      （修正有）【課題】紙バッグには全て利用できますので全商品を改良して手軽に安全に利用できることをアピールしていきたい。【解決手段】従来のバッグ製造工程はそのままに、取っ手紐の取付け方で完成します。実現したら、中の物が見えたり飛び出したりすることがなくなり、いつでもどこでも、だれもが使える便利グッズのひとつになるでしょう。【選択図】図１
0003133353.tif 000002
【実用新案登録請求の範囲】
【請求項１】
紙バッグには取っ手紐を取り付ける為に取り付け穴が２ケ所あります。
その２ケ所の横に新たな穴を設け、取っ手紐の通し穴として紐の片側を取り付けた後、この２つの通し穴を往来させてから取り付けると２本の取っ手は取り付け側と反対側に付けられることになり、取っ手紐を外側に引っ張ると同時にバッグの口が内側に動き閉じた状態になります。
よって通し穴の新設により開閉できる紙バッグです。
【考案の詳細な説明】
【技術分野】この考案が利用される分野は紙バッグ全般で特に口の広いバッグに有効です。
【技術分野】この考案は何一つ備品を使わず、現状形態を維持しつつ改良のみで付加価値を生む考案。
【背景技術】従来品には取っ手が合成樹脂製のもので、デコボコの止め具が付いたものが一部ある。
【考案が解決しようとする課題】
イ．中の物がまる見え状態
ロ．中の物が紛失したり盗難されたりする
ハ．バッグを手から離して置く場合、上部（口）が広がりすぐに倒れる
ニ．ガムテープ等を使用して閉じている場合、何回も開閉できない
【課題を解決するための手段】
紙バッグの取っ手紐取付位置は、両サイドのマチ部分にふれない外側いっぱいの所に取り決め、取り付け穴をあけ、横１〜２ｃｍの所に通し穴として２つの穴を新設します。通し穴の大きさは取っ手紐２本がスムーズに動かせる程度の大きさにします。又、取っ手紐は外側寄りに取り付けることと、通し穴をそれぞれくぐらせてから取り付ける為にそれなりの長さが必要になります。取り付け手順は取り付け穴から取り出した取っ手紐をすぐ横の通し穴に差し込んで裏側に出し、もう片方の通し穴から手前側に戻し、その横の取り付け穴で結んで出来上がりです。
この要領で取り付けられた取っ手紐を両手で引っ張ると紙バッグの口が閉じる考案です。
【考案を実施するための最良の形態】紙バッグは大小問わず、取っ手がヒモ状・縄状のものならすべてに活用できます。使い方も簡単で非常に便利です。
以下本考案の実施の形態を説明します。
イ．取っ手取付部分の穴の位置はマチ部分を除き外側寄りで取り付け穴と通し穴を左右２つずつあける。
ロ．その穴の大きさは紐の大きさに合わせて決定する。
ハ．開けた穴のうち１つは取付け穴で、２つ目は取っ手紐を反対側へとおす為の通し穴です。また反対側で取り付けた取っ手紐をこちら側へ取り出す為の通し穴でもあるのです。
ニ．前後に通し終えた取っ手紐を引っ張るとバッグの口が閉じ、その閉じた状態が通常であり、手に提げた状態でもある。
【考案の効果】
本考案を活用することによってバッグの口を完全に閉じることができ、安心・安全な便利性に富んだ商品になる。
【図面の簡単な説明】改良考案で対象商品の種類やサイズが一定でないために形態であらわします。
【図１】本考案の基本的な図面です
【図２】本考案の使用状態を示す図面です
【符号の説明】
▲１▼取り付け穴    ▲２▼通し穴    ▲３▼従来の取っ手紐
【図１】
0003133353.tif 000003
【手続補正書】
【提出日】平成19年3月27日(2007.3.27)
【手続補正１】
【補正対象書類名】実用新案登録請求の範囲
【補正対象項目名】全文
【補正方法】変更
【補正の内容】
【実用新案登録請求の範囲】
【請求項１】
取っ手紐紙バッグに紐の取り付け穴の他、取っ手紐２本が通るほどの通し穴をあけ、この穴を通過させて取っ手紐を取り付けると取り付けた側とは反対側に取っ手ができ、これを引くと紙バッグの口が閉じるという考案の取っ手紐による紐とじ紙バッグである。
【手続補正２】
【補正対象書類名】図面
【補正対象項目名】全図
【補正方法】変更
【補正の内容】
【図１】
0003133353.tif 000004
【図２】
0003133353.tif 000005
(57)【要約】【課題】  本考案は明るい場所でしか測定出来ない、水準作業を明るさに関係なく、鮮明に出来ることを主要な特徴とする。【解決手段】  気泡管を使った水平器は、暗い場所での作業は困難である、本考案では、明るさに関係なく確認出来る様に気泡管自体に光源であるＬＥＤ（発光ダイオード）を組み込む事で解決できた。【選択図】図２
0003133351.tif 000002
【実用新案登録請求の範囲】
【請求項１】
水平器の気泡管である円筒形の端面にＬＥＤ（発光ダイオード）を組み込み、液体と気泡を直接照らすことにより、外部からの照明がなくても確認作業ができる事が特徴の照明付気泡管。
【請求項２】
気泡管端面に組み込まれるＬＥＤ（発光ダイオード）は単色と複数色が有り、複数色はスイツチの切り替えにより多色を発光することができる。
【考案の詳細な説明】
【技術分野】
【０００１】  気泡管を用いた水平器は国内外の製品を含め多数あり、使用方法は同じです。
【背景技術】
【０００２】  気泡管は無色の液体から緑や紺色が着色され、気泡が見やすくなりました。
しかし、薄暗い室内外では、見にくい事には変わりません。
以前より気泡管を明るくする方法としての実用新案や特許が公開されています。
（例１）（１１）実用新案登録番号  第３０６３２９３号
（例２）（１１）特許出願公開番号  特開２００２−４８５３８
【考案の開示】
【考案が解決しようとする課題】
【０００３】  明るさがないと確認できない気泡管を暗所でも確認が出来るように成ること。
【課題を解決するための手段】
【０００４】  実用新案や特許は出願されているが、製品は見受けられない。
実験した結果、明るさはあるが、製品化されない問題点は間接照明である、組み込むためにはスペースを取りすぎる、防塵加工や防水加工を施さないとホコリや水、油が入り込み照度が落ちる。此れを解決するために、隙間のない気泡管（光源と気泡管の一体型）で解決できた。
光源を組み込むことにより、携帯電話の画面と同等の見易さがえられる。
【考案の効果】
【０００５】  見づらい場所でも懐中電灯や延長コード、発電機、照明を用意することなく測定出来ることは、時間の短縮ばかりか排気ガスや騒音を出すことなく、正確且つ迅速な作業が行える。
周りは見える位の薄暗さでも、気泡管は正確に確認できない、照明を用意することになる。
又、水平器の空きスペースにＬＥＤ（発光ダイオード）を付けることにより、懐中電灯にもなり暗所では足元を照らすことで、安全にも寄与できる。（携帯電話の明かりさえ利用することがある）
【考案を実施するための最良の形態】
【０００６】  測定器はすでに市販され、気泡管はその一部に組み込まれた部品です。
気泡管へ光源であるＬＥＤ（発光ダイオード）を組み込むことは可能で電源である電池も乾電池からボタン電池、測定器の大きさに合わせて選ぶ事が出来る。又、ＬＥＤの色を変えることで使う人が使いたがる測定器になれば手直し作業が少なくなり、時間と材料の無駄がなくなる。
【実施例】
【０００７】  気泡管は元々その片方、又は両方の筒に蓋をしたもの、蓋の代わりにＬＥＤで塞ぐことが出来、部品が少なくてすむメリットがある。
気泡管にレーザー光を組み込んだ製品はあり、電池やスイツチを組み込むことが可能である。
（明るい場所ではレーザー光はみえず、暗いと気泡管が見えない）
【産業上の利用可能性】
【０００８】  利用範囲は現在使用されている機器同様、水平器やレーザーポイント、光学測定器、（レベル、トランシット）等、機器の水平を保つために取り付けられています。
【図面の簡単な説明】
【０００９】
【図１】市販品の筒型、丸型の側面図
【図２】本考案の筒型、丸型の側面図
【符号の説明】
【００１０】  １  気泡管本体
２  気泡
３  液体
４  測定線
５  蓋
６  ＬＥＤ（発光ダイオード）
７  リード線
【図１】
0003133351.tif 000003
【図２】
0003133351.tif 000004
【手続補正書】
【提出日】平成19年4月9日(2007.4.9)
【手続補正１】
【補正対象書類名】実用新案登録請求の範囲
【補正対象項目名】全文
【補正方法】変更
【補正の内容】
【実用新案登録請求の範囲】
【請求項１】
水準器の気泡管である円筒形の端面にＬＥＤ（発光ダイオード）を組み込み、液体と気泡を直接照らすことにより、外部からの照明がなくても確認作業ができる事が特徴の照明付気泡管。
【手続補正２】
【補正対象書類名】明細書
【補正対象項目名】全文
【補正方法】変更
【補正の内容】
【考案の詳細な説明】
【技術分野】
【０００１】  本考案は設備工事等で行う、水準作業に使用される水準器に関するものである。
【背景技術】
【０００２】  一般的な水準器は、測定する物体に当て水平、垂直、勾配を気泡の位置で測定する。
気泡管は見づらい無色の液体から、緑や紺色に着色され、気泡が見やすくなった。
しかし、薄暗い室内外では、確認作業ができない。
【考案の開示】
【考案が解決しようとする課題】
【０００３】  明るさがないと確認できない水準作業を、暗所でも測定できるようになること。
【課題を解決するための手段】
【０００４】  一般的な水準器では暗所での目視確認作業は不可であるが、気泡管自体に光源を設けることで、解決される。
【考案の効果】
【０００５】  水準器本体に光源、スイッチ、電源を組み込めるため、懐中電灯や発電機等での照明を用意する事なく測定作業が出来れば、時間の短縮、発電機のだす騒音、排気ガスがでない作業を、行うことが出来る。
【考案を実施するための最良の形態】
【０００６】  水準器はすでに市販されていて、気泡管はその一部に組み込まれた部品です。
気泡管へ光源であるＬＥＤ（発光ダイオード）を組み込むことで小型化でき、スィツチ、電池を組み込んでも、現行の大きさで製作できる。
【実施例】
【０００７】  気泡管は元々筒の片方、又は両方に蓋をしたもの、蓋の代わりにＬＥＤで塞ぐことができる。ＬＥＤには複数の色を発光できるものがあり、スイッチの切り替えで色をかえられる。
【産業上の利用可能性】
【０００８】  利用範囲は現在使用されている機器同様、水平器やレーザーポイント、レベル、トランシット等に利用でき、建設、設備、測量、機械設置等、幅広く使用されている。
【図面の簡単な説明】
【０００９】
【図１】    水準器の形状
【図２】    本考案の筒型照明付気泡管
【符号の説明】
【００１０】  （図１）
１  水準器本体
２  気泡管
３  気泡
４  測定線
（図２）
１  ＬＥＤ（発光ダイオード）
２  気泡管
３  気泡
４  測定線
５  ＬＥＤリード線
【手続補正３】
【補正対象書類名】図面
【補正対象項目名】全図
【補正方法】変更
【補正の内容】
【図１】
0003133351.tif 000005
【図２】
0003133351.tif 000006
(57)【要約】      （修正有）【課題】携帯に便利で取扱容易、デザインに優れ安価な計量目盛付噴霧器及びその携行バッグ。【解決の手段】用途別に調合調整の計量装置を表示した、計量装置付き噴霧器を製作します。愛犬散歩用・携帯用、家庭用などと、消毒液の種類による計量装置を装着した噴霧器を製作します。携帯に便利な略円平形の噴霧器とし、手提げバッグに納めやすく持ち歩きの安定と使用の容易さを、兼ね備えたものにします。環境美化の協力者として判別できる、夜光性ステッカーを装着して、散歩路の通行者からも好感が得られます。【選択図】図１
0003133355.tif 000002
【実用新案登録請求の範囲】
【請求項１】
噴霧器による消毒液などの調合や濃度調整用の装置目盛り、色別、ラベル添付などを表示装着した、愛犬散歩などの携帯用の噴霧器と携帯用手提げ物。
【請求項２】
請求項１の携帯用手提げに、消毒噴霧器を携帯した愛犬散歩者であることが、判別できる夜光塗料表示のワッペンを表示また提げ札を装着した噴霧器と携帯用手提げ物。
【考案の詳細な説明】
【技術分野】
【０００１】  本考案は、消毒液などの調合や濃度を調整する計量装置つき噴霧器に関するものです。
特に愛犬散歩に携帯する「小便」の消毒液の噴霧器を、散歩時に必要な量だけ携帯できる噴霧器に計量目盛りなどを表示し、散歩に必要な適量の消毒液が容易に準備できるようにした噴霧器です。
また、噴霧器の計量装置は、消毒液の濃度の調整（薄める）や殺虫液などの調合が容易に、噴霧器表示の計量装置により噴霧器で適量に調整できます。
ですから消毒液の準備が簡単に適量にできるので、愛犬散歩の携帯が促進され環境美化に役立つことが期待できます。
【背景技術】
【０００２】  従来、スプレー容器や噴霧器に直に調合調整用計量装置、計量目盛りや色別なとを表示をした物は目にしたことがありません。消毒液の調合や調整は、噴霧器とは別の計量コップで行っています。
特に、愛犬散歩に携帯する「小便・大便」の消毒液用のものはありません。また、「環境美化マーク」などを表示した、犬散歩者を目にしたこともありません。
本考案の商品が最初のものとなりましょう。
【考案が解決しようとする課題】
【０００３】  従来の技術で述べましたが、第一に調合調整装置付きの消毒噴霧器を製作します製品は適正な調合と適量を、いかにてして容易に準備できる物を作るかです。
第二は、犬の散歩は毎日ですから、携帯に適した形態、出し入れに便利な手提げ物・袋やバックを製作するが課題です。
第三は、装飾的に優れたデザインであり、安価であることです。
【課題を解決するための手段】
【０００４】  上記第一の課題は、用途別に調合調整の計量装置を表示した、計量装置付き噴霧器を製作します。愛犬散歩用・携帯用、家庭用などと、消毒液の種類による計量装置を装着した噴霧器を製作して解決します。
第二の課題は、携帯に便利な略円平形の噴霧器とし、手提げに納めやすく持ち歩きの安定と使用の容易さを、兼ね備えものにします。
第三の課題は、環境美化の協力者として判別できる、夜光性ステッカーを装着して、散歩路の通行者からも好感が得られ課題が解決できます。
【考案を実施するための最良の形態】
【０００５】考案の実施の形態について、図面により説明します。
図１は、調合調整用計量目盛りを装着した噴霧器の一例の説明図です。
Ａ．は「噴霧器の本体」。
Ｂ．は「調合・調整用計量装置」。で、目盛り方式の一例。
Ｃ．は「専用調合表示」。で、愛犬散歩用消毒液の主流「竹酢」の調合方法の表示の一例です。濃度調整「水量」を水色にとた色別噴霧器などを製作します。
図２は、噴霧器携帯用の手提げの簡易袋を一例とした説明図です。
Ａ．は、「手提げ袋本体」。
Ｂ．は、手提げ袋に入れた「噴霧器」。
Ｃ．は、手提げ袋に付けた「ステッカー」。で、手提げに直接表示した物や紐付きの提げ札式など、夜光性で美しいデザインの物を装着します。
【考案の効果】
【０００６】  本考案は上述の通りです。
【０００７】  本考案の調合調整計量装置つき噴霧器は、誰でも容易に消毒液が調合調整できる便利さ・計量コップ不要の効果は大きい。
【０００８】  本考案の効果の一つ、愛犬散歩の「小便」の消毒。散歩道路に面した家の苦情の解決に役に立ち、環境美化の効果が上げられます。
【０００９】  上記の「消毒スプレー」を、携帯した愛犬散歩者か・・否か。の判別を「夜光性ステッカー」で明確にすることは、愛犬散歩者も通行人も気持ちが良い。
みんなが環境美化で楽しくなれる社会的効果が上げられます。
【図面の簡単な説明】
【００１０】
【図１】は、調合調整用計量目盛りを装着した噴霧器の一例の説明図です。
【図２】は、噴霧器携帯用の手提げの簡易袋を一例とした説明図です。
【符号の説明】
図１のＡ．は「噴霧器の本体」。
Ｂ．は「調合・調整用計量装置」。
Ｃ．は「専用調合表示」
図２のＡ．は、「手提げ袋本体」。
Ｂ．は、手提げ袋に入れた「噴霧器」。
Ｃ．は、手提げ袋に付けた「ステッカー」。
Ｄ．は、夜光性「環境美化ステッカー札」
【図１】
0003133355.tif 000003
【図２】
0003133355.tif 000004
【手続補正書】
【提出日】平成19年3月25日(2007.3.25)
【手続補正１】
【補正対象書類名】実用新案登録請求の範囲
【補正対象項目名】全文
【補正方法】変更
【補正の内容】
【実用新案登録請求の範囲】
【請求項１】
目盛りや色別表示した噴霧器とその噴霧器を携帯した人が判別でる表示をした噴霧器携帯バックの組み合わせ。
【請求項２】
請求項１の噴霧器携帯バックに夜光塗料により携帯者の表示、または提げ札を装着することを特徴とした噴霧器携帯用バック。
(57)【要約】【課題】男子用トイレの尿飛散を改善し清掃作業を楽にして清潔を保つ中高年者が楽に快適に尿の飛散を気にしないで用が足せる小便器【解決手段】便器から離れないで用を足させるために上半身を便器に預けさせる形状にする放尿の状態を便器から離れないで確認できるようにするために便器の上面に窓を設ける凸面鏡を使用して便器の上面に設けた窓から放尿の状態を確認しながら用が足せる組み合わせをつくる【選択図】図１
0003133357.tif 000002
【実用新案登録請求の範囲】
【請求項１】
男子用小便器の上部付近に両腕でよりかかれる支えを設けた形状にする
【請求項２】
便器の上面に窓を設け上から放尿の状態が確認できる形状にする
【請求項３】
目の高さの位置に反射して便器の上面に設けた窓から放尿状態が反射して見える様に凸面鏡を設ける
【考案の詳細な説明】
【技術分野】
【０００１】新製品開発技術
【背景技術】
【０００２】機械設計開発技術＋人間工学
【考案の開示】
【考案が解決しようとする課題】
【０００３】男子用トイレの尿飛散を改善する
中高年者が楽に快適に尿の飛散を気にしないで用が足せる小便器
【課題を解決するための手段】
【０００４】便器から離れないで用を足させるために上半身を便器に預けさせる形状にする
放尿の状態を便器から離れないで確認できるようにするために便器の上面に窓を設ける
凸面鏡を使用して便器の上面に設けた窓から放尿の状態を確認しながら用が足せる組み合わせをつくる
【図面の簡単な説明】
【０００５】
【図１】便器の上部付近に設けた腕の支え部に上半身を預け凸面鏡で便器の上面に設けた〔平面図〕窓から放尿状態を確認、コントロールしながら用を足す
【図１】
0003133357.tif 000003
【手続補正書】
【提出日】平成19年3月19日(2007.3.19)
【手続補正１】
【補正対象書類名】実用新案登録請求の範囲
【補正対象項目名】全文
【補正方法】変更
【補正の内容】
【実用新案登録請求の範囲】
【請求項１】
男子用小便器の上部付近に両腕でよりかかれる支えを設けた男子用小便器
【請求項２】
便器の上面に窓を設け上から放尿の状態が確認できる形状を特徴とする請求項１記載の男子用小便器
【請求項３】
目の高さの位置に反射して便器の上面に設けた窓から放尿状態が反射して見える様に凸面鏡を設けることを特徴とする請求項１記載の男子用小便器